(57)【要約】  無線通信システムにおいて送信ダイバーシティ技法により送信されたＶ２Ｘ信号のデコーディング方法及び上記方法を適用する装置を提供する。上記方法は、ＰＳＣＣＨを介して受信されたサイドリンク制御情報ＳＣＩのＣＲＣに基づいて第１のアンテナポートに連関した第１のＤＭ−ＲＳの第１のＣＳ値を判断し、前記ＳＣＩの留保されたビットに基づいて、第２のアンテナポートに連関した第２のＤＭ−ＲＳの第２のＣＳ値を判断し、前記第１のＣＳ値が適用された第１のＤＭ−ＲＳ及び前記第２のＣＳ値が適用された前記第２のＤＭ−ＲＳに基づいて、前記第１のアンテナポート及び前記第２のアンテナポートを介して送信された前記Ｖ２Ｘ信号をデコーディングすることを特徴とする。【選択図】図１２
2020515181.tif 000002
【特許請求の範囲】
【請求項１】
無線通信システムにおいて送信ダイバーシティ技法により送信されたＶ２Ｘ（ｖｅｈｉｃｌｅ−ｔｏ−ｅｖｅｒｙｔｈｉｎｇ）信号のデコーディング方法であって、
物理サイドリンク制御チャネル（ｐｈｙｓｉｃａｌ  ｓｉｄｅｌｉｎｋ  ｃｏｎｔｒｏｌ  ｃｈａｎｎｅｌ：ＰＳＣＣＨ）を介して受信されたサイドリンク制御情報（ｓｉｄｅｌｉｎｋ  ｃｏｎｔｒｏｌ  ｉｎｆｏｒｍａｔｉｏｎ：ＳＣＩ）のＣＲＣ（ｃｙｃｌｉｃ  ｒｅｄｕｎｄａｎｃｙ  ｃｈｅｃｋ）に基づいて第１のアンテナポートに連関した第１のＤＭ−ＲＳ（ｄｅｍｏｄｕｌａｔｉｏｎ  ｒｅｆｅｒｅｎｃｅ  ｓｉｇｎａｌ）の第１のＣＳ（ｃｙｃｌｉｃ  ｓｈｉｆｔ）値を判断し、
前記ＳＣＩの留保されたビット（ｒｅｓｅｒｖｅｄ  ｂｉｔ）に基づいて、第２のアンテナポートに連関した第２のＤＭ−ＲＳの第２のＣＳ値を判断し、
前記第１のＣＳ値が適用された第１のＤＭ−ＲＳ及び前記第２のＣＳ値が適用された前記第２のＤＭ−ＲＳに基づいて、前記第１のアンテナポート及び前記第２のアンテナポートを介して送信された前記Ｖ２Ｘ信号をデコーディングすることを特徴とする、方法。
【請求項２】
前記第１のＤＭ−ＲＳは、前記第１のＣＳ値に基づいて決定され、前記第２のＤＭ−ＲＳは、前記第２のＣＳ値に基づいて決定されることを特徴とする、請求項１に記載の方法。
【請求項３】
前記ＳＣＩの前記留保されたビットは、ＣＳに対するオフセット値を含み、前記第２のＣＳ値は、前記第１のＣＳ値に前記ＣＳに対するオフセット値を適用して決定されることを特徴とする、請求項１に記載の方法。
【請求項４】
前記第１のアンテナポートは、既存の端末（ｌｅｇａｃｙ  ＵＥ）及び改善された端末（ａｄｖａｎｃｅｄ  ＵＥ）に共通的に使用されるアンテナポートであり、
前記第２のアンテナポートは、前記改善された端末にのみ使用されるアンテナポートであることを特徴とする、請求項１に記載の方法。
【請求項５】
前記Ｖ２Ｘ信号は、時間領域において複数のシンボルを含むサブフレームで連続する２個のシンボルから受信されることを特徴とする、請求項１に記載の方法。
【請求項６】
前記サブフレームの最後のシンボルは、前記Ｖ２Ｘ信号の受信に使用されないことを特徴とする、請求項５に記載の方法。
【請求項７】
前記第１のＣＳ値及び前記第２のＣＳ値は、各々循環シフト値を示すインデックスであることを特徴とする、請求項１に記載の方法。
【請求項８】
前記Ｖ２Ｘ信号は、複数のシンボルを含むサブフレームにおいて、参照信号を受信するシンボルを除いたシンボルの中で２個のシンボルの単位で受信されることを特徴とする、請求項１に記載の方法。
【請求項９】
前記サブフレームが１４個のシンボルを含む場合、前記２個のシンボルの単位は、２番目のシンボル及び４番目のシンボル、５番目のシンボル及び７番目のシンボル、８番目のシンボル及び１０番目のシンボル、１１番目のシンボル及び１３番目のシンボルを含むことを特徴とする、請求項８に記載の方法。
【請求項１０】
前記サブフレームが１４個のシンボルを含む場合、前記２個のシンボルの単位は、４番目のシンボル及び５番目のシンボル、７番目のシンボル及び８番目のシンボル、１０番目のシンボル及び１１番目のシンボルを含むことを特徴とする、請求項８に記載の方法。
【請求項１１】
前記サブフレームが１４個のシンボルを含む場合、前記参照信号を受信するシンボルは、３番目のシンボル、６番目のシンボル、９番目のシンボル、及び１２番目のシンボルであることを特徴とする、請求項８に記載の方法。
【請求項１２】
端末であって、
無線信号を送信及び受信する送受信機（ｔｒａｎｓｃｅｉｖｅｒ）と、
前記送受信機と結合して動作するプロセッサとを備えてなり、
前記プロセッサは、
物理サイドリンク制御チャネル（ｐｈｙｓｉｃａｌ  ｓｉｄｅｌｉｎｋ  ｃｏｎｔｒｏｌ  ｃｈａｎｎｅｌ：ＰＳＣＣＨ）を介して受信されたサイドリンク制御情報（ｓｉｄｅｌｉｎｋ  ｃｏｎｔｒｏｌ  ｉｎｆｏｒｍａｔｉｏｎ：ＳＣＩ）のＣＲＣ（ｃｙｃｌｉｃ  ｒｅｄｕｎｄａｎｃｙ  ｃｈｅｃｋ）に基づいて第１のアンテナポートに連関した第１のＤＭ−ＲＳ（ｄｅｍｏｄｕｌａｔｉｏｎ  ｒｅｆｅｒｅｎｃｅ  ｓｉｇｎａｌ）の第１のＣＳ（ｃｙｃｌｉｃ  ｓｈｉｆｔ）値を判断し、
前記ＳＣＩの留保されたビット（ｒｅｓｅｒｖｅｄ  ｂｉｔ）に基づいて、第２のアンテナポートに連関した第２のＤＭ−ＲＳの第２のＣＳ値を判断し、
前記第１のＣＳ値が適用された第１のＤＭ−ＲＳ及び前記第２のＣＳ値が適用された前記第２のＤＭ−ＲＳに基づいて、前記第１のアンテナポート及び前記第２のアンテナポートを介して送信された前記Ｖ２Ｘ信号をデコーディングすることを特徴とする、端末。
【発明の詳細な説明】
【技術分野】
【０００１】
本発明は、無線通信に関し、より詳細には、無線通信システムにおいて送信ダイバーシティ技法により送信されたＶ２Ｘ（ｖｅｈｉｃｌｅ−ｔｏ−ｅｖｅｒｙｔｈｉｎｇ）信号のデコーディング方法及び上記方法を利用する端末に関する。
【背景技術】
【０００２】
近年、装置間直接通信をするＤ２Ｄ（Ｄｅｖｉｃｅ−ｔｏ−Ｄｅｖｉｃｅ）技術に対する関心が高まっている。特に、Ｄ２Ｄは、公衆安全ネットワーク（ｐｕｂｌｉｃ  ｓａｆｅｔｙ  ｎｅｔｗｏｒｋ）のための通信技術として注目を受けている。公衆安全ネットワークは、商業的通信ネットワークに比べて高いサービス要求条件（信頼度及び保安性）を有し、特に、セルラー通信のカバレッジが及ぼさないか、利用可能でない場合にも、装置間の直接信号送受信、すなわち、Ｄ２Ｄ動作も要求している。
【０００３】
Ｄ２Ｄ動作は、近接した機器間の信号送受信であるという点で様々な長所を有することができる。例えば、Ｄ２Ｄ端末は、高い送信率及び低い遅延を有し、データ通信をすることができる。また、Ｄ２Ｄ動作は、基地局に集まるトラフィックを分散させることができ、Ｄ２Ｄ端末が中継機の役割をするならば、基地局のカバレッジを拡張させる役割もすることができる。
【０００４】
一方、ＬＴＥ−Ａ（ｌｏｎｇ  ｔｅｒｍ  ｅｖｏｌｕｔｉｏｎ−ａｄｖａｎｃｅｄ）では、端末と端末との間のインターフェースをサイドリンク（ｓｉｄｅｌｉｎｋ）と称し、サイドリンクは、車両に設けられた端末間または車両に設けられた端末と他の端末との間の通信、すなわち、Ｖ２Ｘ（ｖｅｈｉｃｌｅ−ｔｏ−ｅｖｅｒｙｔｈｉｎｇ）にも使用されることができる。
【０００５】
一方、既存のＶ２Ｘ通信では、送信ダイバーシティ（ｔｒａｎｓｍｉｔ  ｄｉｖｅｒｓｉｔｙ）を支援しなかった。送信ダイバーシティには、空間的に分離された２つ以上のアンテナを用いて信号を送信する空間ダイバーシティ（ｓｐａｃｅ  ｄｉｖｅｒｓｉｔｙ）、互いに異なる周波数資源を用いて信号を送信する周波数ダイバーシティ、互いに異なる時間資源を用いて信号を送信する時間ダイバーシティなど、様々な方法がある。
【０００６】
Ｖ２Ｘ通信に送信ダイバーシティを支援しない標準規格にしたがって動作する既存の端末と、Ｖ２Ｘ通信に送信ダイバーシティを支援する新しい標準規格にしたがって動作する改善された端末とが混在できる。このような場合、既存の端末に及ぼす影響を最小化しつつ、改善された端末に送信ダイバーシティを適用したＶ２Ｘ信号を送信したり、前記Ｖ２Ｘ信号をデコーディングさせることができる方法及び装置が必要である。
【発明の概要】
【発明が解決しようとする課題】
【０００７】
本発明が解決しようとする技術的課題は、送信ダイバーシティ技法によって送信されたＶ２Ｘ信号のデコーディング方法及び上記方法を利用する端末を提供することである。
【課題を解決するための手段】
【０００８】
一側面において、無線通信システムにおいて送信ダイバーシティ技法により送信されたＶ２Ｘ信号のデコーディング方法を提供する。上記方法は、物理サイドリンク制御チャネル（ｐｈｙｓｉｃａｌ  ｓｉｄｅｌｉｎｋ  ｃｏｎｔｒｏｌ  ｃｈａｎｎｅｌ：ＰＳＣＣＨ）を介して受信されたサイドリンク制御情報（ｓｉｄｅｌｉｎｋ  ｃｏｎｔｒｏｌ  ｉｎｆｏｒｍａｔｉｏｎ：ＳＣＩ）のＣＲＣ（ｃｙｃｌｉｃ  ｒｅｄｕｎｄａｎｃｙ  ｃｈｅｃｋ）に基づいて第１のアンテナポートに連関した第１のＤＭ−ＲＳ（ｄｅｍｏｄｕｌａｔｉｏｎ  ｒｅｆｅｒｅｎｃｅ  ｓｉｇｎａｌ）の第１のＣＳ（ｃｙｃｌｉｃ  ｓｈｉｆｔ）値を判断し、前記ＳＣＩの留保されたビット（ｒｅｓｅｒｖｅｄ  ｂｉｔ）に基づいて、第２のアンテナポートに連関した第２のＤＭ−ＲＳの第２のＣＳ値を判断し、前記第１のＣＳ値が適用された第１のＤＭ−ＲＳ及び前記第２のＣＳ値が適用された前記第２のＤＭ−ＲＳに基づいて、前記第１のアンテナポート及び前記第２のアンテナポートを介して送信された前記Ｖ２Ｘ信号をデコーディングすることを特徴とする。
【０００９】
前記第１のＤＭ−ＲＳは、前記第１のＣＳ値に基づいて決定され、前記第２のＤＭ−ＲＳは、前記第２のＣＳ値に基づいて決定されることができる。
【００１０】
前記ＳＣＩの前記留保されたビットは、ＣＳに対するオフセット値を含み、前記第２のＣＳ値は、前記第１のＣＳ値に前記ＣＳに対するオフセット値を適用して決定されることができる。
【００１１】
前記第１のアンテナポートは、既存の端末（ｌｅｇａｃｙ  ＵＥ）及び改善された端末（ａｄｖａｎｃｅｄ  ＵＥ）に共通的に使用されるアンテナポートであり、前記第２のアンテナポートは、前記改善された端末にのみ使用されるアンテナポートでありうる。
【００１２】
前記Ｖ２Ｘ信号は、時間領域において複数のシンボルを含むサブフレームで連続する２個のシンボルから受信されることができる。
【００１３】
前記サブフレームの最後のシンボルは、前記Ｖ２Ｘ信号の受信に使用されないことがある。
【００１４】
前記第１のＣＳ値及び前記第２のＣＳ値は、各々循環シフト値を示すインデックスでありうる。
【００１５】
前記Ｖ２Ｘ信号は、複数のシンボルを含むサブフレームにおいて、参照信号を受信するシンボルを除いたシンボルの中で２個のシンボルの単位で受信されることができる。
【００１６】
前記サブフレームが１４個のシンボルを含む場合、前記２個のシンボルの単位は、２番目のシンボル及び４番目のシンボル、５番目のシンボル及び７番目のシンボル、８番目のシンボル及び１０番目のシンボル、１１番目のシンボル及び１３番目のシンボルを含むことができる。
【００１７】
前記サブフレームが１４個のシンボルを含む場合、前記２個のシンボルの単位は、４番目のシンボル及び５番目のシンボル、７番目のシンボル及び８番目のシンボル、１０番目のシンボル及び１１番目のシンボルを含むことができる。
【００１８】
前記サブフレームが１４個のシンボルを含む場合、前記参照信号を受信するシンボルは、３番目のシンボル、６番目のシンボル、９番目のシンボル、及び１２番目のシンボルでありうる。
【００１９】
他の側面において提供される端末は、無線信号を送信及び受信する送受信機（ｔｒａｎｓｃｅｉｖｅｒ）及び前記送受信機と結合して動作するプロセッサを備え、前記プロセッサは、物理サイドリンク制御チャネル（ｐｈｙｓｉｃａｌ  ｓｉｄｅｌｉｎｋ  ｃｏｎｔｒｏｌ  ｃｈａｎｎｅｌ：ＰＳＣＣＨ）を介して受信されたサイドリンク制御情報（ｓｉｄｅｌｉｎｋ  ｃｏｎｔｒｏｌ  ｉｎｆｏｒｍａｔｉｏｎ：ＳＣＩ）のＣＲＣ（ｃｙｃｌｉｃ  ｒｅｄｕｎｄａｎｃｙ  ｃｈｅｃｋ）に基づいて第１のアンテナポートに連関した第１のＤＭ−ＲＳ（ｄｅｍｏｄｕｌａｔｉｏｎ  ｒｅｆｅｒｅｎｃｅ  ｓｉｇｎａｌ）の第１のＣＳ（ｃｙｃｌｉｃ  ｓｈｉｆｔ）値を判断し、前記ＳＣＩの留保されたビット（ｒｅｓｅｒｖｅｄ  ｂｉｔ）に基づいて、第２のアンテナポートに連関した第２のＤＭ−ＲＳの第２のＣＳ値を判断し、前記第１のＣＳ値が適用された第１のＤＭ−ＲＳ及び前記第２のＣＳ値が適用された前記第２のＤＭ−ＲＳに基づいて、前記第１のアンテナポート及び前記第２のアンテナポートを介して送信された前記Ｖ２Ｘ信号をデコーディングすることを特徴とする。
【発明の効果】
【００２０】
本発明によれば、Ｖ２Ｘ通信に送信ダイバーシティを支援しない標準規格にしたがって動作する既存の端末とＶ２Ｘ通信に送信ダイバーシティを支援する新しい標準規格にしたがって動作する改善された端末とが混在する状況で、前記既存の端末に及ぼす影響を最小化しつつ、前記改善された端末に送信ダイバーシティ技法を利用したＶ２Ｘ信号を送信でき、前記改善された端末は、前記Ｖ２Ｘ信号をデコーディングできる。特に、前記Ｖ２Ｘ信号のデコーディングに使用される参照信号を決定するのに使用される循環シフト値を効率的に知らせることができる。
【図面の簡単な説明】
【００２１】
【図１】無線通信システムを示す。
【図２】ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。
【図３】制御平面（ｃｏｎｔｒｏｌ  ｐｌａｎｅ）に対する無線プロトコル構造を示すブロック図である。
【図４】Ｖ２Ｘ通信のためのシナリオを例示する。
【図５】ＳＴＢＣの一例を示す。
【図６】既存のＶ２Ｘメッセージ送受信に使用されるチャネル及びサブフレーム構造を例示する。
【図７】ＴＸＤ関連シンボルペアリングの一例を示す。
【図８】ＴＸＤ関連シンボルペアリングの他の例を示す。
【図９】ＴＸＤ関連シンボルペアリングのさらに他の例を示す。
【図１０】ＴＸＤ関連シンボルペアリングのさらに他の例を示す。
【図１１】既存のＶ２Ｘ通信においてＰＳＳＣＨのＤＭ−ＲＳの循環シフト（ＣＳ）値及び／又は直交カバーシーケンス（ｏｒｔｈｏｇｏｎａｌ  ｃｏｖｅｒ  ｃｏｄｅ：ＯＣＣ）を判断する方法を例示する。
【図１２】例示＃４−１による端末のＶ２Ｘ信号デコーディング方法を例示する。
【図１３】図１２において説明した方法のより具体的な適用例である。
【図１４】本発明の実施形態が実現される装置を示したブロック図である。
【図１５】プロセッサ１１００を構成する一例を示す。
【発明を実施するための形態】
【００２２】
図１は、無線通信システムを示す。
【００２３】
無線通信システムは、例えば、Ｅ−ＵＴＲＡＮ（Ｅｖｏｌｖｅｄ−ＵＭＴＳＴｅｒｒｅｓｔｒｉａｌ  Ｒａｄｉｏ  Ａｃｃｅｓｓ  Ｎｅｔｗｏｒｋ）、またはＬＴＥ（Ｌｏｎｇ  Ｔｅｒｍ  Ｅｖｏｌｕｔｉｏｎ）／ＬＴＥ−Ａシステムであると称することができる。
【００２４】
Ｅ−ＵＴＲＡＮは、端末（Ｕｓｅｒ  Ｅｑｕｉｐｍｅｎｔ、ＵＥ）１０に制御平面（ｃｏｎｔｒｏｌ  ｐｌａｎｅ）とユーザ平面（ｕｓｅｒ  ｐｌａｎｅ）を提供する基地局（Ｂａｓｅ  Ｓｔａｔｉｏｎ、ＢＳ）２０を含む。端末１０は、固定されてもよいし、移動性を有してもよく、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語で呼ばれることもある。基地局２０は、端末１０と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２５】
基地局２０は、Ｘ２インターフェースを介して互いに連結されることができる。基地局２０は、Ｓ１インターフェースを介してＥＰＣ（Ｅｖｏｌｖｅｄ  Ｐａｃｋｅｔ  Ｃｏｒｅ）３０、より詳しくは、Ｓ１−ＭＭＥを介してＭＭＥ（Ｍｏｂｉｌｉｔｙ  Ｍａｎａｇｅｍｅｎｔ  Ｅｎｔｉｔｙ）と連結され、Ｓ１−Ｕを介してＳ−ＧＷ（Ｓｅｒｖｉｎｇ  Ｇａｔｅｗａｙ）と連結される。
【００２６】
ＥＰＣ３０は、ＭＭＥ、Ｓ−ＧＷ及びＰ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に対する情報を有しており、このような情報は、端末の移動性管理に主に使われる。Ｓ−ＧＷは、Ｅ−ＵＴＲＡＮを終端点として有するゲートウェイであり、Ｐ−ＧＷは、ＰＤＮを終端点として有するゲートウェイである。
【００２７】
端末とネットワークとの間の無線インターフェースプロトコル（Ｒａｄｉｏ  Ｉｎｔｅｒｆａｃｅ  Ｐｒｏｔｏｃｏｌ）の階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個階層に基づいてＬ１（第１の階層）、Ｌ２（第２の階層）、Ｌ３（第３の階層）に区分されることができ、このうち、第１の階層に属する物理階層は、物理チャネル（Ｐｈｙｓｉｃａｌ  Ｃｈａｎｎｅｌ）を利用した情報転送サービス（Ｉｎｆｏｒｍａｔｉｏｎ  Ｔｒａｎｓｆｅｒ  Ｓｅｒｖｉｃｅ）を提供し、第３の階層に位置するＲＲＣ（Ｒａｄｉｏ  Ｒｅｓｏｕｒｃｅ  Ｃｏｎｔｒｏｌ）階層は、端末とネットワークとの間に無線リソースを制御する役割を遂行する。そのために、ＲＲＣ階層は、端末と基地局との間のＲＲＣメッセージを交換する。
【００２８】
無線通信システムは、ＴＤＤ（ｔｉｍｅ  ｄｉｖｉｓｉｏｎ  ｄｕｐｌｅｘ）システム、ＦＤＤ（ｆｒｅｑｕｅｎｃｙ  ｄｉｖｉｓｉｏｎ  ｄｕｐｌｅｘ）システム、またはＴＤＤとＦＤＤとが共に使用されるシステムでありうる。
【００２９】
図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示したブロック図であり、図３は、制御平面（ｃｏｎｔｒｏｌｐｌａｎｅ）に対する無線プロトコル構造を示したブロック図である。ユーザ平面は、ユーザデータ送信のためのプロトコルスタック（ｐｒｏｔｏｃｏｌ ｓｔａｃｋ）であり、制御平面は、制御信号送信のためのプロトコルスタックである。
【００３０】
図２及び図３を参照すると、物理階層（ＰＨＹ（ｐｈｙｓｉｃａｌ）  ｌａｙｅｒ）は、物理チャネル（ｐｈｙｓｉｃａｌ  ｃｈａｎｎｅｌ）を利用して上位階層に情報転送サービス（ｉｎｆｏｒｍａｔｉｏｎ  ｔｒａｎｓｆｅｒ  ｓｅｒｖｉｃｅ）を提供する。物理階層は、上位階層であるＭＡＣ（Ｍｅｄｉｕｍ  Ａｃｃｅｓｓ  Ｃｏｎｔｒｏｌ）階層とはトランスポートチャネル（ｔｒａｎｓｐｏｒｔ  ｃｈａｎｎｅｌ）を介して連結されている。トランスポートチャネルを介してＭＡＣ階層と物理階層との間にデータが移動する。トランスポートチャネルは、無線インターフェースを介して、データが、どのように、どのような特徴にトランスポートされるかによって分類される。
【００３１】
互いに異なる物理階層間、即ち、送信機と受信機の物理階層間は、物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調されることができ、時間と周波数を無線リソースとして活用する。
【００３２】
ＭＡＣ階層の機能は、論理チャネルとトランスポートチャネルとの間のマッピング、及び論理チャネルに属するＭＡＣ  ＳＤＵ（ｓｅｒｖｉｃｅ  ｄａｔａ  ｕｎｉｔ）のトランスポートチャネル上に物理チャネルで提供されるトランスポートブロック（ｔｒａｎｓｐｏｒｔ  ｂｌｏｃｋ）への多重化／逆多重化を含む。ＭＡＣ階層は、論理チャネルを介してＲＬＣ（Ｒａｄｉｏ  Ｌｉｎｋ  Ｃｏｎｔｒｏｌ）階層にサービスを提供する。
【００３３】
ＲＬＣ階層の機能は、ＲＬＣ  ＳＤＵの連結（ｃｏｎｃａｔｅｎａｔｉｏｎ）、分割（ｓｅｇｍｅｎｔａｔｉｏｎ）及び再結合（ｒｅａｓｓｅｍｂｌｙ）を含む。無線ベアラ（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保障するために、ＲＬＣ階層は、透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）及び確認モード（Ａｃｋｎｏｗｌｅｄｇｅｄ  Ｍｏｄｅ、ＡＭ）の三つの動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。
【００３４】
ＲＲＣ（Ｒａｄｉｏ  Ｒｅｓｏｕｒｃｅ  Ｃｏｎｔｒｏｌ）階層は、制御平面でのみ定義される。ＲＲＣ階層は、無線ベアラの設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）と関連して論理チャネル、トランスポートチャネル及び物理チャネルの制御を担当する。ＲＢは、端末とネットワークとの間のデータ伝達のために、第１の階層（ＰＨＹ階層）及び第２の階層（ＭＡＣ階層、ＲＬＣ階層、ＰＤＣＰ階層）により提供される論理的経路を意味する。
【００３５】
ユーザ平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、ユーザデータの伝達、ヘッダ圧縮（ｈｅａｄｅｒ  ｃｏｍｐｒｅｓｓｉｏｎ）及び暗号化（ｃｉｐｈｅｒｉｎｇ）を含む。制御平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、制御平面データの伝達及び暗号化／完全性保護（ｉｎｔｅｇｒｉｔｙ  ｐｒｏｔｅｃｔｉｏｎ）を含む。
【００３６】
ＲＢが設定されるとは、特定サービスを提供するために、無線プロトコル階層及びチャネルの特性を規定し、それぞれの具体的なパラメータ及び動作方法を設定する過程を意味する。また、ＲＢは、ＳＲＢ（Ｓｉｇｎａｌｉｎｇ  ＲＢ）とＤＲＢ（Ｄａｔａ  ＲＢ）の二つに分けられる。ＳＲＢは、制御平面でＲＲＣメッセージを送信する通路として使われ、ＤＲＢは、ユーザ平面でユーザデータを送信する通路として使われる。
【００３７】
端末のＲＲＣ階層とＥ−ＵＴＲＡＮのＲＲＣ階層との間にＲＲＣ接続（ＲＲＣ  Ｃｏｎｎｅｃｔｉｏｎ）が確立される場合、端末は、ＲＲＣ接続（ＲＲＣ  ｃｏｎｎｅｃｔｅｄ）状態になり、そうでない場合、ＲＲＣアイドル（ＲＲＣ  ｉｄｌｅ）状態になる。
【００３８】
ネットワークから端末にデータを送信するダウンリンクトランスポートチャネルには、システム情報を送信するＢＣＨ（Ｂｒｏａｄｃａｓｔ  Ｃｈａｎｎｅｌ）と、ユーザトラフィックや制御メッセージを送信するダウンリンクＳＣＨ（Ｓｈａｒｅｄ  Ｃｈａｎｎｅｌ）がある。ダウンリンクマルチキャストまたはブロードキャストサービスのトラフィックまたは制御メッセージの場合、ダウンリンクＳＣＨを介して送信されることもでき、または別途のダウンリンクＭＣＨ（Ｍｕｌｔｉｃａｓｔ  Ｃｈａｎｎｅｌ）を介して送信されることもできる。一方、端末からネットワークにデータを送信するアップリンクトランスポートチャネルとしては、初期制御メッセージを送信するＲＡＣＨ（Ｒａｎｄｏｍ  Ａｃｃｅｓｓ  Ｃｈａｎｎｅｌ）と、ユーザトラフィックや制御メッセージを送信するアップリンクＳＣＨ（Ｓｈａｒｅｄ  Ｃｈａｎｎｅｌ）がある。
【００３９】
トランスポートチャネル上位にあり、トランスポートチャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００４０】
物理チャネル（Ｐｈｙｓｉｃａｌ  Ｃｈａｎｎｅｌ）は、時間領域で複数個のＯＦＤＭシンボルと周波数領域で複数個の副搬送波（Ｓｕｂ−ｃａｒｒｉｅｒ）とで構成される。一つのサブフレーム（Ｓｕｂ−ｆｒａｍｅ）は、時間領域で複数のＯＦＤＭシンボル（Ｓｙｍｂｏｌ）で構成される。リソースブロックは、リソース割当単位であり、複数のＯＦＤＭシンボルと複数の副搬送波（ｓｕｂ−ｃａｒｒｉｅｒ）とで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、即ち、Ｌ１／Ｌ２制御チャネルのために、該当サブフレームの特定ＯＦＤＭシンボル（例えば、１番目のＯＦＤＭシンボル）の特定副搬送波を利用することができる。ＴＴＩ（Ｔｒａｎｓｍｉｓｓｉｏｎ  Ｔｉｍｅ  Ｉｎｔｅｒｖａｌ）は、サブフレーム送信の単位時間である。
【００４１】
ＲＲＣ状態とは、端末のＲＲＣ階層がＥ−ＵＴＲＡＮのＲＲＣ階層と論理的連結（ｌｏｇｉｃａｌ  ｃｏｎｎｅｃｔｉｏｎ）されているか否かをいい、連結されている場合は、ＲＲＣ連結状態（ＲＲＣ＿ＣＯＮＮＥＣＴＥＤ）、連結されていない場合は、ＲＲＣアイドル状態（ＲＲＣ＿ＩＤＬＥ）と呼ぶ。ＲＲＣ連結状態の端末は、ＲＲＣ連結が存在するので、Ｅ−ＵＴＲＡＮは、当該端末の存在をセル単位で把握することができ、したがって、端末を効果的に制御できる。それに対し、ＲＲＣアイドル状態の端末は、Ｅ−ＵＴＲＡＮが把握することはできず、セルよりさらに大きい地域単位であるトラッキング領域（Ｔｒａｃｋｉｎｇ  Ａｒｅａ）単位でＣＮ（ｃｏｒｅ  ｎｅｔｗｏｒｋ）が管理する。すなわち、ＲＲＣアイドル状態の端末は、大きい地域単位で存在可否のみ把握され、音声やデータのような通常の移動通信サービスを受けるためには、ＲＲＣ連結状態に移動しなければならない。
【００４２】
ユーザが端末の電源を最初につけたとき、端末は、まず適切なセルを探索した後、当該セルでＲＲＣアイドル状態に留まる。ＲＲＣアイドル状態の端末は、ＲＲＣ連結を結ぶ必要があるとき、初めてＲＲＣ連結過程（ＲＲＣ  ｃｏｎｎｅｃｔｉｏｎ  ｐｒｏｃｅｄｕｒｅ）を介してＥ−ＵＴＲＡＮとＲＲＣ連結を確立し、ＲＲＣ連結状態に遷移する。ＲＲＣアイドル状態にあった端末がＲＲＣ連結を結む必要がある場合は、種々があるが、例えば、ユーザの通話試みなどの理由で上向きデータ送信が必要であるとか、それとも、Ｅ−ＵＴＲＡＮから呼び出し（ｐａｇｉｎｇ）メッセージを受信した場合、これに対する応答メッセージ送信などを挙げることができる。
【００４３】
ＲＲＣ階層の上位に位置するＮＡＳ（Ｎｏｎ−Ａｃｃｅｓｓ  Ｓｔｒａｔｕｍ）階層は、連結管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００４４】
ＮＡＳ階層で端末の移動性を管理するために、ＥＭＭ−ＲＥＧＩＳＴＥＲＥＤ（ＥＰＳ  Ｍｏｂｉｌｉｔｙ  Ｍａｎａｇｅｍｅｎｔ−ＲＥＧＩＳＴＥＲＥＤ）及びＥＭＭ−ＤＥＲＥＧＩＳＴＥＲＥＤの２つの状態が定義されており、この２つの状態は、端末とＭＭＥに適用される。初期端末は、ＥＭＭ−ＤＥＲＥＧＩＳＴＥＲＥＤ状態であり、この端末がネットワークに接続するために、初期連結（Ｉｎｉｔｉａｌ  Ａｔｔａｃｈ）手順を介して当該ネットワークに登録する過程を行う。前記連結（Ａｔｔａｃｈ）手順が成功的に行われれば、端末及びＭＭＥは、ＥＭＭ−ＲＥＧＩＳＴＥＲＥＤ状態となる。
【００４５】
端末とＥＰＣ間シグナリング連結（ｓｉｇｎａｌｉｎｇ  ｃｏｎｎｅｃｔｉｏｎ）を管理するために、ＥＣＭ（ＥＰＳ  Ｃｏｎｎｅｃｔｉｏｎ  Ｍａｎａｇｅｍｅｎｔ）−ＩＤＬＥ状態及びＥＣＭ−ＣＯＮＮＥＣＴＥＤ状態の２つの状態が定義されており、この２つの状態は、端末及びＭＭＥに適用される。ＥＣＭ−ＩＤＬＥ状態の端末がＥ−ＵＴＲＡＮとＲＲＣ連結を結ぶと、当該端末は、ＥＣＭ−ＣＯＮＮＥＣＴＥＤ状態となる。ＥＣＭ−ＩＤＬＥ状態にあるＭＭＥは、Ｅ−ＵＴＲＡＮとＳ１連結（Ｓ１  ｃｏｎｎｅｃｔｉｏｎ）を結ぶと、ＥＣＭ−ＣＯＮＮＥＣＴＥＤ状態となる。端末がＥＣＭ−ＩＤＬＥ状態にあるときには、Ｅ−ＵＴＲＡＮは、端末の背景（ｃｏｎｔｅｘｔ）情報を有していない。したがって、ＥＣＭ−ＩＤＬＥ状態の端末は、ネットワークの命令を受ける必要なしにセル選択（ｃｅｌｌ  ｓｅｌｅｃｔｉｏｎ）またはセル再選択（ｒｅｓｅｌｅｃｔｉｏｎ）のような端末基盤の移動性関連手順を行う。それに対し、端末がＥＣＭ−ＣＯＮＮＥＣＴＥＤ状態にあるときには、端末の移動性は、ネットワークの命令によって管理される。ＥＣＭ−ＩＤＬＥ状態で端末の位置がネットワークが知っている位置と異なるようになる場合、端末は、トラッキング領域更新（Ｔｒａｃｋｉｎｇ  Ａｒｅａ  Ｕｐｄａｔｅ）手順を介してネットワークに端末の当該位置を知らせる。
【００４６】
これから、Ｄ２Ｄ動作について説明する。３ＧＰＰ  ＬＴＥ−Ａでは、Ｄ２Ｄ動作と関連したサービスを近接性基盤サービス（Ｐｒｏｘｉｍｉｔｙ  ｂａｓｅｄ  Ｓｅｒｖｉｃｅｓ：ＰｒｏＳｅ）と称する。以下、ＰｒｏＳｅは、Ｄ２Ｄ動作と同等な概念であり、ＰｒｏＳｅは、Ｄ２Ｄ動作と混用されることができる。これから、ＰｒｏＳｅについて記述する。
【００４７】
ＰｒｏＳｅには、ＰｒｏＳｅ直接通信（ｃｏｍｍｕｎｉｃａｔｉｏｎ）とＰｒｏＳｅ直接発見（ｄｉｒｅｃｔ  ｄｉｓｃｏｖｅｒｙ）とがある。ＰｒｏＳｅ直接通信は、近接した２つ以上の端末間で行われる通信をいう。前記端末は、ユーザ平面のプロトコルを用いて通信を行うことができる。ＰｒｏＳｅ可能端末（ＰｒｏＳｅ−ｅｎａｂｌｅｄ  ＵＥ）は、ＰｒｏＳｅの要求条件と関連した手順を支援する端末を意味する。特別な他の言及がなければ、ＰｒｏＳｅ可能端末は、公用安全端末（ｐｕｂｌｉｃ  ｓａｆｅｔｙ  ＵＥ）と非−公用安全端末（ｎｏｎ−ｐｕｂｌｉｃ  ｓａｆｅｔｙ  ＵＥ）とを共に含む。公用安全端末は、公用安全に特化された機能とＰｒｏＳｅ過程とを共に支援する端末であり、非−公用安全端末は、ＰｒｏＳｅ過程は支援するが、公用安全に特化された機能は支援しない端末である。
【００４８】
ＰｒｏＳｅ直接発見（ＰｒｏＳｅ  ｄｉｒｅｃｔ  ｄｉｓｃｏｖｅｒｙ）は、ＰｒｏＳｅ可能端末が隣接した他のＰｒｏＳｅ可能端末を発見するための過程であり、このとき、前記２個のＰｒｏＳｅ可能端末の能力だけを使用する。ＥＰＣ次元のＰｒｏＳｅ発見（ＥＰＣ−ｌｅｖｅｌ  ＰｒｏＳｅ  ｄｉｓｃｏｖｅｒｙ）は、ＥＰＣが２個のＰｒｏＳｅ可能端末の近接可否を判断し、前記２個のＰｒｏＳｅ可能端末にそれらの近接を知らせる過程を意味する。
【００４９】
以下、都合上、ＰｒｏＳｅ直接通信は、Ｄ２Ｄ通信、ＰｒｏＳｅ直接発見は、Ｄ２Ｄ発見と称することができる。Ｄ２Ｄ動作に使用されるリンクをＬＴＥではサイドリンク（ｓｉｄｅｌｉｎｋ）と称する。
【００５０】
これから、Ｖ２Ｘ（ｖｅｈｉｃｌｅ  ｔｏ  ｅｖｅｒｙｔｈｉｎｇ）通信について説明する。Ｖ２Ｘは、車両に設けられた端末と他の端末との間の通信を意味し、前記他の端末が歩行者、車両、インフラストラクチャでありうるし、このとき、順にＶ２Ｐ（ｖｅｈｉｃｌｅ  ｔｏ  ｐｅｄｅｓｔｒｉａｎ）、Ｖ２Ｖ（ｖｅｈｉｃｌｅ  ｔｏ  ｖｅｈｉｃｌｅ）、Ｖ２Ｉ（ｖｅｈｉｃｌｅ  ｔｏ  ｉｎｆｒａｓｔｒｕｃｔｕｒｅ）などと称することができる。
【００５１】
Ｖ２Ｘ通信は、既存のＬＴＥ通信で使用する基地局と端末との間の上向き／下向きリンクでない、Ｄ２Ｄ動作で定義されたサイドリンク（ｓｉｄｅｌｉｎｋ）を介してデータ／制御情報を送受信できる。
【００５２】
サイドリンクには、次のような物理的チャネルが定義され得る。
【００５３】
ＰＳＢＣＨ（Ｐｈｙｓｉｃａｌ  Ｓｉｄｅｌｉｎｋ  Ｂｒｏａｄｃａｓｔ  ＣＨａｎｎｅｌ）は、物理サイドリンク放送チャネルである。ＰＳＣＣＨ（Ｐｈｙｓｉｃａｌ  Ｓｉｄｅｌｉｎｋ  Ｃｏｎｔｒｏｌ  ＣＨａｎｎｅｌ）は、物理サイドリンク制御チャネルである。ＰＳＤＣＨ（Ｐｈｙｓｉｃａｌ  Ｓｉｄｅｌｉｎｋ  Ｄｉｓｃｏｖｅｒｙ  ＣＨａｎｎｅｌ）は、物理サイドリンク発見チャネルである。ＰＳＳＣＨ（Ｐｈｙｓｉｃａｌ  Ｓｉｄｅｌｉｎｋ  Ｓｈａｒｅｄ  ＣＨａｎｎｅｌ）は、物理サイドリンク共有チャネルである。ＳＬＳＳ（Ｓｉｄｅｌｉｎｋ  Ｓｙｎｃｈｒｏｎｉｚａｔｉｏｎ  Ｓｉｇｎａｌ）は、サイドリンク同期化信号である。ＳＬＳＳには、ＰＳＳＳ（Ｐｒｉｍａｒｙ  Ｓｉｄｅｌｉｎｋ  Ｓｙｎｃｈｒｏｎｉｚａｔｉｏｎ  Ｓｉｇｎａｌ）とＳＳＳＳ（Ｓｅｃｏｎｄａｒｙ  Ｓｉｄｅｌｉｎｋ  Ｓｙｎｃｈｒｏｎｉｚａｔｉｏｎ  Ｓｉｇｎａｌ）とがありうる。ＳＬＳＳとＰＳＢＣＨとは、共に送信されることができる。
【００５４】
サイドリンクは、端末対端末間のインターフェースを意味でき、サイドリンクは、ＰＣ５インターフェースに対応することができる。
【００５５】
図４は、Ｖ２Ｘ通信のためのシナリオを例示する。
【００５６】
図４（ａ）に示すように、Ｖ２Ｘ通信は、端末（ＵＥ）間のインターフェースであるＰＣ５基盤の（端末間の）情報交換動作を支援でき、図４（ｂ）のように、基地局（ｅＮｏｄｅＢ）と端末（ＵＥ）との間のインターフェースであるＵｕ基盤の（端末間の）情報交換動作を支援することもできる。また、図４（ｃ）のように、ＰＣ５及びＵｕの両方を使用して（端末間の）情報交換動作を支援することもできる。
【００５７】
以下では、説明の都合上、３ＧＰＰ  ＬＴＥ／ＬＴＥ−Ａシステムに基づいて本発明を説明する。しかし、本発明が適用されるシステムの範囲は、３ＧＰＰ  ＬＴＥ／ＬＴＥ−Ａシステム以外に、他のシステムへも拡張可能である。
【００５８】
これから、本発明について説明する。
【００５９】
本発明は、予め設定されるか、シグナリングされたＶ２Ｘ資源プール（ｒｅｓｏｕｒｃｅ  ｐｏｏｌ）上で、送信ダイバーシティ（ＴＸ  ＤＩＶＥＲＳＩＴＹ：ＴＸＤ）基盤でＶ２Ｘメッセージ送信動作が行われるとき、これを効率的に運営する方法及び前記Ｖ２Ｘメッセージを受信する端末の立場での受信方法に関連する。
【００６０】
本発明において「ＴＸＤ」は、予め設定されるか、シグナリングされた複数個のアンテナポート（ＡＮＴＥＮＮＡ  ＰＯＲＴ：ＡＰ）基盤の送信動作、例えば、ＳＦＢＣ（ｓｐａｃｅ  ｆｒｅｑｕｅｎｃｙ  ｂｌｏｃｋ  ｃｏｄｉｎｇ）、ＳＴＢＣ（ｓｐａｃｅ  ｔｉｍｅ  ｂｌｏｃｋ  ｃｏｄｉｎｇ）、ＡＰ（／シンボル）別プリコーディング循環（ＰＲＥＣＯＤＩＮＧ  ＣＹＣＬＩＮＧ（／ランダムビームフォーミング（ＲＡＮＤＯＭ  ＢＥＡＭＦＯＲＭＩＮＧ））等）と解釈されることができる。
【００６１】
図５は、ＳＴＢＣの一例を示す。
【００６２】
図５に示すように、送信機は、２個のアンテナ（アンテナポート）を用いて信号ｓ0、ｓ1を送信する。具体的に、１番目の時間（例えば、第１のシンボル）では、１番目のアンテナ（アンテナポート）を用いてｓ0を送信し、２番目のアンテナ（アンテナポート）を用いて−ｓ1*を同時に送信することができる。ここで、＊は、複素共役（ｃｏｍｐｌｅｘ  ｃｏｎｊｕｇａｔｅ）を示す。受信機は、当該データｙ0を受信する。
【００６３】
次に、２番目の時間（例えば、第２のシンボル）で、１番目のアンテナ（アンテナポート）を用いてｓ1を送信し、２番目のアンテナ（アンテナポート）を用いてｓ0*を送信する。受信機は、当該データｙ1を受信する。
【００６４】
このような場合、前記ｙ0とｙ1は、ｓ0、ｓ1と図５の式１（６１）のような関係にあるようになる。受信機は、チャネル情報ｈ0、ｈ1を既に知っているならば、図５の式２（６２）を用いてｓ0、ｓ1を知り出すことができる。
【００６５】
一方、複数個のアンテナポートＡＰ基盤のＴＸＤ動作が行われる場合、相違したＡＰ間の電力（ｐｏｗｅｒ）分割は、（Ａ）各ＡＰに（常に）均等に行われる方法、（Ｂ）予め設定（／シグナリング）された（ＡＰ間の）パワー分割割合によって行われる方法のうち、少なくとも１つによることができる。
【００６６】
以下、本発明の提案方式は、（Ａ）ＴＸＤ基盤のＶ２Ｘメッセージ送信動作を行う端末（これをＴＸＤ＿ＵＥと称する）と、そうでない端末（これをＬＥＧ＿ＵＥと称する）とが、Ｖ２Ｘ資源プールを共有する場合でも拡張適用が可能である。前記ＬＥＧ＿ＵＥは、例えば、単一のＡＰ（そして／あるいは、ＴＸＤ＿ＵＥに比べて相対的に少ない個数のＡＰ）基盤の送信動作を行う端末でありうる。ＬＥＧ＿ＵＥは、単一ＡＰ基盤の送信動作、そして／あるいはセンシング動作を行う既存（ＬＥＧＡＣＹ）の端末（ＬＴＥ  ＲＥＬ−１４によって動作する端末）と解釈されることもできる。
【００６７】
本発明において「ＴＸＤ」は、複数個のアンテナポートを用いた送信動作と拡張解釈されることもできる。また、本発明の提案方式等は、相違したアンテナポート個数基盤の送信動作を行う端末が、Ｖ２Ｘ資源プールを共有する場合にも拡張適用が可能である。
【００６８】
本発明において「センシング（ｓｅｎｓｉｎｇ）動作」とは、デコーディング成功したＰＳＣＣＨがスケジューリングするＰＳＳＣＨにあるＤＭ−ＲＳ（ｄｅｍｏｄｕｌａｔｉｏｎ  ｒｅｆｅｒｅｎｃｅ  ｓｉｇｎａｌ）シーケンス（ｓｅｑｕｅｎｃｅ）基盤のＰＳＳＣＨ−ＲＳＲＰ測定動作、そして／あるいは、Ｖ２Ｘ資源プール関連サブチャネル基盤のＳ−ＲＳＳＩ測定動作などと解釈されることができる。
【００６９】
Ｓ−ＲＳＳＩ（Ｓｉｄｅｌｉｎｋ  Ｒｅｃｅｉｖｅｄ  Ｓｉｇｎａｌ  Ｓｔｒｅｎｇｔｈ  Ｉｎｄｉｃａｔｏｒ）、Ｓ−ＲＳＲＰ（Ｓｉｄｅｌｉｎｋ  Ｒｅｆｅｒｅｎｃｅ  Ｓｉｇｎａｌ  Ｒｅｃｅｉｖｅｄ  Ｐｏｗｅｒ）、ＣＢＲ（Ｃｈａｎｎｅｌ  ｂｕｓｙ  ｒａｔｉｏ）、及びＣＲ（Ｃｈａｎｎｅｌ  ｏｃｃｕｐａｎｃｙ  ｒａｔｉｏ）について説明する。
【００７０】
まず、Ｓ−ＲＳＳＩは、サイドリンクにおける受信信号強度指示子である。Ｓ−ＲＳＳＩは、サブフレームの１番目のスロットのＳＣ−ＦＤＭＡシンボル＃１、２、．．．、６及び２番目のスロットのＳＣ−ＦＤＭＡシンボル＃０、１、．．．、５における、設定されたサブチャネルで端末が観測した、ＳＣ−ＦＤＭＡシンボル別の総受信電力の線形平均（ｌｉｎｅａｒ  ａｖｅｒａｇｅ）と定義されることができる。
【００７１】
Ｓ−ＲＳＲＰは、サイドリンクにおける参照信号受信電力を意味する。Ｓ−ＲＳＲＰには、例えば、ＰＳＳＣＨでＲＳＲＰを計算したＰＳＳＣＨ−ＲＳＲＰがありうる。ＰＳＳＣＨ−ＲＳＲＰは、連関したＰＳＣＣＨによって指示されたＰＲＢ（ｐｈｙｓｉｃａｌ  ｒｅｓｏｕｒｃｅ  ｂｌｏｃｋ）内で、ＰＳＳＣＨと連関したＤＭ−ＲＳ（ｄｅｍｏｄｕｌａｔｉｏｎ  ｒｅｆｅｒｅｎｃｅ  ｓｉｇｎａｌ）を運ぶＲＥ（ｒｅｓｏｕｒｃｅ  ｅｌｅｍｅｎｔ）等の電力寄与（ｐｏｗｅｒ  ｃｏｎｔｒｉｂｕｔｉｏｎ）等の線形平均と定義されることができる。
【００７２】
ＣＢＲは、チャネルの遊休率（ｂｕｓｙ  ｒａｔｉｏ）を表し、サブフレームｎで測定されたＣＢＲは、次のように定義されることができる。
【００７３】
ＰＳＳＣＨの場合、サブフレーム［ｎ−１００、ｎ−１］でセンシングされたものであって 、予め決められるか、設定された閾値を越えることと測定されたＳ−ＲＳＳＩを有するサブチャネルの資源プール内における割合を表す。
【００７４】
ＰＳＣＣＨの場合、サブフレーム［ｎ−１００、ｎ−１］でセンシングされたものであって、連続しない資源ブロックで当該ＰＳＳＣＨとともにＰＳＣＣＨが送信されるように設定されたプールで、予め決められるか、設定された閾値を越えることと測定されたＳ−ＲＳＳＩを有するＰＳＣＣＨプールの資源等の割合を表す。ここで、ＰＳＣＣＨプールは、周波数領域で２個の連続したＰＲＢペアの大きさの資源で構成されていると仮定する。
【００７５】
ＣＲは、チャネル占有率を意味する。サブフレームｎで計算されたＣＲは、サブフレーム［ｎ−ａ、ｎ−１］で自分の送信のために使用されたサブチャネルの個数と、サブフレーム［ｎ、ｎ＋ｂ］で自分の送信のために許容されたサブチャネルの個数との総計をサブフレーム［ｎ−ａ、ｎ＋ｂ］にわたった送信プールで設定された総サブチャネルの個数に割った値と定義されることができる。
【００７６】
ここで、ａは正の整数であり、ｂは０または正の整数である。ａ、ｂは、端末によって決められ、ａ＋ｂ＋１＝１０００、ａは、５００以上の関係にあり、ｎ＋ｂは、現在送信に対するグラントの最も最近の送信機会を越えてはならない。ＣＲは、毎（再）送信に対して評価されることができる。
【００７７】
図６は、既存のＶ２Ｘメッセージ送受信に使用されるチャネル及びサブフレーム構造を例示する。
【００７８】
図６に示すように、ノーマルＣＰにおいて、Ｖ２Ｘメッセージ送受信に使用されるサブフレームで１番目のシンボル（ＳＹＭＢＯＬ＃０）は、（受信端で）「ＡＧＣ（ａｕｔｏｍａｔｉｃ  ｇａｉｎ  ｃｏｎｔｒｏｌ）」用途として使用（例、パンクチャリング）されることができ、最後のシンボル（ＳＹＭＢＯＬ＃１３）は、「送信−受信スイッチング」用途として（送信端で）パンクチャリングされることができる。すなわち、Ｖ２Ｘ通信では、サブフレームの最初のシンボル及び最後のシンボルには、データ通信の側面で例外的な制限がありうる。
【００７９】
本発明では、前記例外的な制限を考慮して、効率的な（ＴＸＤ関連）シンボルペアリング（ｓｙｍｂｏｌ  ｐａｉｒｉｎｇ）を提案する。すなわち、図５で説明したように、ＴＸＤを適用する場合、２個のシンボルが必要でありうるが、前記２個のシンボルをどんなふうに決定するかを本発明において提案する。下記の方式は、「ＳＴＢＣ」（そして／あるいは、「プリコーディング／ビーム循環」）基盤のＴＸＤ動作にのみ限定的に適用されることもできる。また、本発明では、ペアリングされたシンボル、ペアリングされていないシンボルで各々どんなふうにＶ２Ｘ信号を送信するかについても提案する。
【００８０】
［提案方法］ＴＸＤ利得を最大化させ、これを効率的に支援（／運営）させるために、下記（一部）の規則が適用され得る。
【００８１】
（規則＃１）受信端でＴＸＤ利得を効果的に得るようにするために、下記の規則にしたがって、シンボルペアリングが設定（／シグナリング）されることができる。ここで、「シンボルペアリング」とは、ＴＸＤに関連して、（Ａ）予め設定（／シグナリング）された、同一プリコーディング（ビーム）集合が（順次的（ＣＹＣＬＩＣ）に）適用されるシンボル（グループ）単位、（Ｂ）予め設定（／シグナリング）された個数の、同一ＡＰ（集合）基盤の送信が行われるシンボル（グループ）単位、（Ｃ）予め設定（／シグナリング）された個数の「ペア変調シンボル（ＰＡＩＲＥＤ  ＭＯＤＵＬＡＴＩＯＮ  ＳＹＭＢＯＬ）」が（繰り返し）送信されるシンボル（グループ）単位のうち、少なくとも１つと解釈されることができる。
【００８２】
（例示＃１−１）
【００８３】
図７は、ＴＸＤ関連シンボルペアリングの一例を示す。
【００８４】
図７に示すように、ＴＸＤ（例えば、ＳＴＢＣ）関連シンボルペアリングがシンボルインデックスの昇順方向に順次的に（単純に）行われることができる。
【００８５】
すなわち、シンボル＃０／１、シンボル＃３／４、シンボル＃６／７、シンボル＃９／１０、シンボル＃１２／１３がシンボルペアリングされ得る。１番目のシンボル（ＳＹＭＢＯＬ＃０）と最後のシンボル（ＳＹＭＢＯＬ＃１３）とが順に「ＡＧＣ」、「パンクチャリング」として一部あるいは全部使用され得ない場合、ＴＸＤ利得を得ることができる最大シンボルペアリング個数は、「３」（すなわち、シンボル＃３／４、シンボル＃６／７、シンボル＃９／１０）であることが分かる。
【００８６】
（実施形態＃１−１−１）
【００８７】
図８は、ＴＸＤ関連シンボルペアリングの他の例を示す。
【００８８】
図８に示すように、ＴＸＤ（例えば、ＳＴＢＣ）関連シンボルペアリングは、「シンボル＃１／３」、「シンボル＃４／６」、「シンボル＃７／９」、「シンボル＃１０／１２」が各々ペアリングされ得る。このとき、ＴＸＤ利得を得ることができる最大シンボルペアリング個数は、「４」であることが分かる。特に、当該ペアリングされたシンボル間のチャネル状態が同一（／類似）であれば、図７の場合に比べて、相対的に高いＴＸＤ利得を得ることができる。
【００８９】
図９は、ＴＸＤ関連シンボルペアリングのさらに他の例を示す。
【００９０】
図９に示すように、「シンボル＃３／４」、「シンボル＃６／７」、「シンボル＃９／１０」が各々ペアリングされ得るし、このとき、ＴＸＤ利得を得ることができる最大シンボルペアリング個数は、「３」であることが分かる。
【００９１】
図１０は、ＴＸＤ関連シンボルペアリングのさらに他の例を示す。
【００９２】
図１０に示すように、「シンボル＃０／１」、「シンボル＃３／４」、「シンボル＃６／７」、「シンボル＃９／１０」が各々ペアリングされ得る。仮りに、１番目のシンボル（ＳＹＭＢＯＬ＃０）がＡＧＣ用途として全部使用されず、ＴＸＤ関連ペアリングに使用され得るならば、ＴＸＤ利得を得ることができる（最大）シンボルペアリング個数は、「４」であることが分かる。
【００９３】
一方、図７〜図１０において説明したペアリングシンボルの個数（単位）は、端末の速度（例、当該速度は、時間軸の（シンボル間）チャネル変更だけでなく、ＴＸＤ利得達成にも影響を及ぼすためである）、Ｖ２Ｘプールの混雑度（ＣＯＮＧＥＳＴＩＯＮ  ＬＥＶＥＬ）などのパラメータによって相違して設定（／シグナリング）されることもできる。
【００９４】
（実施形態＃１−１−２）前述した実施形態＃１−１−１のような様々なＴＸＤ関連シンボルペアリングが適用される場合、ＴＸＤ（例えば、ＳＴＢＣ）関連シンボルペアリングが適用（／実行）されないシンボル（例えば、図８のシンボル＃０、シンボル＃１３、図９のシンボル＃０、シンボル＃１、シンボル＃１２、シンボル＃１３、図１０のシンボル＃１２、シンボル＃１３）を以下、「ＮＰ＿ＯＳ」と称する。すなわち、ＮＰ＿ＯＳは、特定ＴＸＤ技法関連利得を（一部）得ることができないシンボル、そして／あるいは、（特定）ＴＸＤ技法が適用されないシンボルなどと解釈されることもできる。
【００９５】
このようなＮＰ＿ＯＳ上には、下記の規則にしたがって、変調シンボル（ｍｏｄｕｌａｔｉｏｎ  ｓｙｍｂｏｌ：ＭＳ）マッピング、ＡＰインデックス、またはＡＰ個数マッピングが行われる（／仮定）ようにすることができる。
【００９６】
一例に、特定ＮＰ＿ＯＳ上の相違したＡＰ（レイヤ）間に、同一変調シンボルが繰り返しマッピングされるようにすることができる。このような方法は、例えば、互いに異なるＡＰ間のチャネル相関度が高い場合に有用でありうる。当該規則が適用される場合、（Ａ）受信端は、（特定）ＮＰ＿ＯＳ上の、相違したＡＰ関連（ＤＭ−ＲＳ）チャネル推定を組み合わせ（／併合）して、（当該）変調シンボルデコーディングをすることができる。そして／または、（Ｂ）相違したＮＰ＿ＯＳ上にマッピングされる変調シンボルは、互いに異なることができる。
【００９７】
他の例に、予め設定（／シグナリング）された、ＴＸＤ関連ペアリングされたシンボル（インデックス）上の変調シンボルを繰り返しマッピングさせることができる。一例に、図８の場合、シンボル＃０上には、シンボル＃１の変調シンボルが繰り返しマッピングされ、シンボル＃１３上には、シンボル＃１２の変調シンボルが繰り返しマッピングされることができる。また、図９の場合、シンボル＃０、シンボル＃１上には、シンボル＃３、シンボル＃４の変調シンボルが繰り返しマッピングされ、シンボル＃１２、シンボル＃１３上には、シンボル＃９、シンボル＃１０の変調シンボルが繰り返しマッピングされることもできる。図１０の場合、シンボル＃１２、シンボル＃１３上には、シンボル＃９、シンボル＃１０の変調シンボルが繰り返しマッピングされることができる。
【００９８】
または、予め設定（／シグナリング）された、ペアリングされたＮＰ＿ＯＳ（インデックス）間に、同一変調シンボルが繰り返しマッピングされるようにすることもできる。この場合、「時間ダイバーシティ（ＴＩＭＥ  ＤＩＶＥＲＳＩＴＹ）」利得を得ることができる。例えば、図８の場合、シンボル＃０／１３がペアリングされ、同一変調シンボルが繰り返しマッピングされることができる。図９の場合、「シンボル＃０／１３」、「シンボル＃１／１２」（そして／あるいは、「シンボル＃０／１２」、「シンボル＃１／１３」）が各々ペアリングされ、同一変調シンボルが各々繰り返しマッピングされることもできる。また、図１０の場合、「シンボル＃１２／１３」がペアリングされ、同一変調シンボルが（各々）繰り返しマッピングされることもできる。
【００９９】
特定ＮＰ＿ＯＳ上の送信は、予め設定（／シグナリング）されたＴＸＤ関連ペアリングされたシンボル上のＡＰ（インデックス）個数（例えば、「２」）より（予め設定（／シグナリング）された）相対的に少ないＡＰ個数（例えば、「１」）で行われるようにすることができる。
【０１００】
特定ＮＰ＿ＯＳ上で、相対的に少ない個数（ＡＰＮ＿Ｘ）のＡＰ別送信パワーは、（Ａ）ＴＸＤ関連ペアリングされたシンボル上の相対的に多くの個数（ＡＰＮ＿Ｙ）のＡＰ別送信パワーと同様に適用（／仮定）されることができる。
【０１０１】
そして／あるいは、（Ｂ）特定ＮＰ＿ＯＳ上の、相対的に少ない個数のＡＰ別送信パワーは、「Ｖ２Ｘチャネル（／シグナル）（最大）送信パワー／ＡＰＮ＿Ｘ」に決定（そして／あるいは、（ＴＸＤ関連）ペアリングされたシンボル上の（相対的に多くの個数の）ＡＰ別送信パワーを「ＡＰＮ＿Ｙ／ＡＰＮ＿Ｘ」割合の分だけ増加）させることができる。
【０１０２】
特定ＮＰ＿ＯＳ上の送信は、予め設定（／シグナリング）された他のＴＸＤ技法（例えば、ＳＦＢＣ、プリコーディング／ビーム循環（例えば、シンボルペアリングが行われる必要のないＴＸＤ技法と解釈可能））で行われることもできる。
【０１０３】
特定ＮＰ＿ＯＳ上では、予め設定（／シグナリング）された（ビット（／ＭＣＳ）の）変調シンボルがマッピング（／送信）され得る。このような変調シンボルは、仮想ＣＲＳ（／ＲＳ）用途として使用されることもできる。
【０１０４】
（規則＃２）予め設定（／シグナリング）された特定ＴＸＤ（例えば、プリコーディング（／ビーム）循環）技法は、下記の（一部）規則にしたがって実現させることができる。下記の（一部）方式は、「プリコーディング（／ビーム）循環」基盤のＴＸＤ動作にのみ限定的に適用されることもできる。
【０１０５】
（例示＃２−１）ＴＸＤ＿ＵＥをして、ＤＭ−ＲＳシーケンス（そして／あるいは、ＡＰ（インデックス））は、既存（ＬＴＥ  ＲＥＬ−１４）方式によって生成（／送信）し、予め設定（／シグナリング）されたシンボル（グループ）単位（例えば、スロット）別にプリコーディング（／ビーム）（インデックス）を順次変更させることができる。
【０１０６】
ここで、プリコーディング（／ビーム）循環適用時、複数個のＡＰに対するＤＭ−ＲＳを循環シフト（ｃｙｃｌｉｃ  ｓｈｉｆｔ：ＣＳ）別に分離して送信することができるであろうが、ＴＸＤ＿ＵＥの観点では、「ＴＤＭ」された当該シンボル（グループ）単位で相違したＡＰが順次的（／仮想的）にマッピングされること（そして／あるいは、既存（ＬＴＥ  ＲＥＬ−１４）端末の観点では、自分が使用する単一ＡＰ上でＴＸＤ＿ＵＥが送信動作を行うこと）と解釈されることもできる。
【０１０７】
前記規則が適用される場合、ＴＸＤ＿ＵＥとＶ２Ｘ資源プールを共有する既存（ＬＴＥ  ＲＥＬ−１４）端末は、ＴＸＤ＿ＵＥが送信するＰＳＳＣＨを成功的にデコーディング（／受信）し難いが、ＰＳＳＣＨ−ＲＳＲＰ測定基盤のセンシング（／資源排除）動作は、ＴＸＤ＿ＵＥを考慮して効果的に行うことができる。
【０１０８】
（例示＃２−２）ＴＸＤ＿ＵＥをして、ＤＭ−ＲＳシーケンス（そして／あるいは、ＡＰ（インデックス））は、既存（ＬＴＥ  ＲＥＬ−１４）方式によって生成（／送信）し、予め設定（／シグナリング）されたシンボル（グループ）単位別にＡＰ（そして／あるいは、プリコーディング（／ビーム）（インデックス））が順次的（／仮想的）に変更されることと見なすようにすることができる。
【０１０９】
当該規則が適用される場合、ＴＸＤ＿ＵＥの観点で、１番目／３番目のＤＭ−ＲＳ（例えば、シンボル＃２／８（図６参照））と２番目／４番目のＤＭ−ＲＳ（例えば、シンボル＃５／１１（図６参照））が各々ＡＰ＃Ｘ、ＡＰ＃Ｙにマッピングされることと見なすことができる。そして／あるいは、１番目／２番目のＤＭ−ＲＳ（例えば、シンボル＃２／５（図６参照））と３番目／４番目のＤＭ−ＲＳ（例えば、シンボル＃８／１１（図６参照））が各々ＡＰ＃Ｘ、ＡＰ＃Ｙにマッピングされることと見なすことができる。
【０１１０】
前記規則は、ＴＸＤ動作が予め設定（／シグナリング）された閾値以下の速度（例えば、時間軸におけるチャネル変化が相対的に少ない場合）でのみ適用される場合に有用であることもできる。
【０１１１】
（例示＃２−３）ＴＸＤ＿ＵＥをして、予め設定（／シグナリング）されたシンボル（グループ）単位別に相違したＡＰ（そして／あるいは、プリコーディング（／ビーム）（インデックス））を順次的にマッピングさせることができる。当該規則が適用される場合、相違したＡＰ関連ＤＭ−ＲＳ（シーケンス）は、循環シフト（ＣＹＣＬＩＣ  ＳＨＩＦＴ：ＣＳ）を異ならせて、４個のＤＭ−ＲＳシンボル上で（図６参照）同時に送信されることもできる。前記規則が適用される場合、隣接したシンボル間にペアリングが必ず行われる（／適用）必要はないこともある。
【０１１２】
（規則＃３）本発明において、（Ａ）ＴＸＤ動作は、予め設定（／シグナリング）された閾値以下の速度（そして／あるいは、（特定）速度範囲）、時間／周波数シンクソースタイプ（例えば、周波数（エラー）オフセットが相対的に少ない場合）、予め設定（／シグナリング）された閾値以下（／以上）のＣＢＲ測定値でのみ限定的に適用（／許容）されるように設定（／シグナリング）されることができる。例えば、速度が高速の場合、既に時間領域のダイバーシティ（ＴＩＭＥ−ＤＯＭＡＩＮ  ＤＩＶＥＲＳＩＴＹ）が生じるので、空間ダイバーシティ（ＳＰＡＣＥ  ＤＩＶＥＲＳＩＴＹ）はあまり意味がなく、チャネルが早く変わり、ＳＴＢＣのようなＴＸＤの動作が難しいためである。
【０１１３】
そして／あるいは、（Ｂ）予め設定（／シグナリング）された速度（範囲）、時間／周波数シンクソースタイプ、予め設定（／シグナリング）されたＣＢＲ測定値（範囲）別にＴＸＤ関連ペアリングされるシンボル（グループ）単位（長さ）が相違して（あるいは、独立的に）設定（／シグナリング）されることもできる。
【０１１４】
前記設定に使用される情報は、「プール特定的（ＰＯＯＬ−ＳＰＥＣＩＦＩＣ）」そして／あるいは「搬送波特定的（ＣＡＲＲＩＥＲ−ＳＰＥＣＩＦＩＣ）に設定（／シグナリング）されることもできる。
【０１１５】
（規則＃４）予め設定（／シグナリング）された既存（ＬＴＥ  ＲＥＬ−１４）ＡＰを含む複数個のＡＰ基盤のＴＸＤ送信が行われる場合、（そして／あるいは、既存（ＬＴＥ  ＲＥＬ−１４）と異なるＡＰ上でＴＸＤ関連送信が（追加的に）行われる場合）、下記の（一部）規則にしたがって、（既存（ＬＴＥ  ＲＥＬ−１４）と異なるＡＰ関連）ＤＭ−ＲＳ  ＣＳ（インデックス）値そして／あるいはＯＣＣ（インデックス）値が設定（／シグナリング）されるようにすることができる。
【０１１６】
一例に、ＴＸＤ＿ＵＥをして、既存（ＬＴＥ  ＲＥＬ−１４）ＡＰ上のＤＭ−ＲＳ  ＣＳ（インデックス）値、そして／あるいは、ＯＣＣ（インデックス）値は、既存の方式によって決定させることができる。
【０１１７】
ＰＳＳＣＨ、ＰＳＣＣＨ、ＰＳＤＣＨ、ＰＳＢＣＨに連関したＤＭ−ＲＳのシーケンスは、次のように生成されることができる。
【０１１８】
【数１】
2020515181.tif 000003
【０１１９】
ここで、ｍは、特殊サブフレーム（ｓｐｅｃｉａｌ  ｓｕｂｆｒａｍｅ）に対して０、それ以外には、０または１である。ｎ＝０、．．．、ＭscRS−１である。ＭscRSは、参照信号の長さを副搬送波個数で示したものである。δは、０または１である。ｕは、スロットｎsにおけるシーケンスグループ番号であり、ｖは、基本シーケンス番号である。ｕは、ｎIDRS及びｆssに基づいて決定されることができる。
【０１２０】
前記αλは、スロットｎsにおける循環シフト（ｃｙｃｌｉｃ  ｓｈｉｆｔ）値であり、次の式のように与えられることができる。
【０１２１】
【数２】
2020515181.tif 000004
【０１２２】
前記式１、２に出るパラメータ等は、ＰＳＳＣＨに対する参照信号（ＤＭ−ＲＳ）の場合、次の表のように決定されることができる。
【０１２３】
【表１】
2020515181.tif 000005
【０１２４】
ｎIDRSは、シーケンスグループホッピングに関連したＩＤである。ｎsは、スロット番号、ｆssは、シーケンスシフトパターンを示す。ｎIDSAは、サイドリンクグループ目的ＩＤ（ｓｉｄｅｌｉｎｋ  ｇｒｏｕｐ  ｄｅｓｔｉｎａｔｉｏｎ  ｉｄｅｎｔｉｔｙ）である。
【０１２５】
ｎcs、λは、循環シフト値である。サイドリンク送信モード３、４でＰＳＳＣＨ及びＰＳＣＣＨに対し、ＤＭ−ＲＳがマッピングされるシンボルは、１番目のスロットでｌ＝２、５（すなわち、３番目のシンボル及び６番目のシンボル）、２番目のスロットでｌ＝１、４（すなわち、２番目のシンボル及び５番目のシンボル）でありうる。
【０１２６】
サイドリンク送信モード３、４でＰＳＢＣＨに対し、ＤＭ−ＲＳがマッピングされるシンボルは、１番目のスロットでｌ＝４、６（すなわち、５番目のシンボル及び７番目のシンボル）、２番目のスロットでｌ＝２（すなわち、３番目のシンボル）でありうる。
【０１２７】
サイドリンク送信モード１、２で、類似ランダムシーケンス生成器（ｐｓｅｕｄｏ−ｒａｎｄｏｍ  ｓｅｑｕｅｎｃｅ  ｇｅｎｅｒａｔｏｒ）は、ｎssPSSCH＝０を満足する各スロットの開始で初期化されることができる。ｎssPSSCHは、ＰＳＳＣＨに対し、サブフレームプールで現在スロットの番号を示す。サイドリンク送信モード３、４で、類似ランダムシーケンス生成器（ｐｓｅｕｄｏ−ｒａｎｄｏｍ  ｓｅｑｕｅｎｃｅ  ｇｅｎｅｒａｔｏｒ）は、ｎssPSSCHｍｏｄ２＝０を満足する各スロットの開始で初期化されることができる。
【０１２８】
サイドリンク送信モード３、４でＰＳＣＣＨに対し、サブフレーム内の全てのＤＭ−ＲＳに適用される循環シフトｎcs、λは、｛０、３、６、９｝の中でランダムに選択されることができる。
【０１２９】
サイドリンク送信モード１、２に対して、ｍ＝０、１でありうる。サイドリンク送信モード３、４でＰＳＳＣＨに対して、ｍ＝０、１、２、３でありうるし、ＰＳＤＣＨ及びＰＳＢＣＨに対して、ｍ＝０、１、２でありうる。
【０１３０】
サイドリンク送信モード３、４で、ｎIDXは、ＰＳＳＣＨと同じサブフレームで送信されたＰＳＣＣＨ上のＣＲＣの十進法の表現と同様であり、次の式のように与えられることができる。
【０１３１】
【数３】
2020515181.tif 000006
【０１３２】
前記式において、ｐは、パリティビット（ｐａｒｉｔｙ  ｂｉｔ）であり、Ｌは、パリティビット個数である。
【０１３３】
ＭscPSSCHは、ＰＳＳＣＨ送信のためにスケジューリングされた帯域を副搬送波個数で示したものである。
【０１３４】
前記式１、２に出るパラメータ等は、ＰＳＣＣＨに対する参照信号の場合、次の表のように決定されることができる。
【０１３５】
【表２】
2020515181.tif 000007
【０１３６】
ＭscPSCCHは、ＰＳＣＣＨ送信のための帯域を副搬送波個数で示したものである。
【０１３７】
前記式１、２に出るパラメータ等は、ＰＳＤＣＨ及びＰＳＢＣＨに対する参照信号の場合、次の表のように決定されることができる。
【０１３８】
【表３】
2020515181.tif 000008
【０１３９】
ＭscPSDCHは、ＰＳＤＣＨ送信のための帯域を副搬送波個数で示したものである。ＭscPSBCHは、ＰＳＢＣＨ送信のための帯域を副搬送波個数で示したものである。ＮIDSLは、物理階層サイドリンク同期化ＩＤである。
【０１４０】
図１１は、既存のＶ２Ｘ通信においてＰＳＳＣＨのＤＭ−ＲＳの循環シフト（ＣＳ）値及び／又は直交カバーシーケンス（ｏｒｔｈｏｇｏｎａｌ  ｃｏｖｅｒ  ｃｏｄｅ：ＯＣＣ）を判断する方法を例示する。
【０１４１】
図１１に示すように、端末は、ＰＳＣＣＨ（ＳＣＩ）を受信する（Ｓ１０）。
【０１４２】
端末は、前記ＰＳＣＣＨ（ＳＣＩ）のＣＲＣ（ｃｙｃｌｉｃ  ｒｅｄｕｎｄａｎｃｙ  ｃｈｅｃｋ）に基づいて、ＰＳＳＣＨのＤＭ−ＲＳのＣＳ値（または、ＣＳインデックス、以下、同様）及び／又はＯＣＣ（または、ＯＣＣインデックス、以下、同様）を判断（決定）する（Ｓ２０）。すなわち、Ｖ２Ｘ送信にＴＸＤを適用しない従来技術では、ＰＳＳＣＨを介して送信されるデータをデコーディングするために使用されるＤＭ−ＲＳのＣＳ値（及び／又は、ＯＣＣ）を決定するにあたって、ＰＳＣＣＨを介して送信されるＳＣＩのＣＲＣを用いた。
【０１４３】
それに対し、本発明が適用される将来の無線通信システムでは、Ｖ２Ｘ送信にＴＸＤを適用でき、この場合、データが複数のアンテナポートを介して送信され得るし、前記複数のアンテナポートの各々に対するＤＭ−ＲＳのＣＳ値（及び／又は、ＯＣＣ）を（受信端に（当該用途の）シグナリングあるいは予め定義された規則を介して）知らせる必要がある。
【０１４４】
以下の例示等は、前記必要に対する解決方法等である。
【０１４５】
（例示＃４−１）既存（ＬＴＥ  ＲＥＬ−１４）ＰＳＣＣＨ上で、当該用途と定義されたフィールド（／ビット）を介して、既存（ＬＴＥ  ＲＥＬ−１４）と異なるＡＰ関連ＤＭ−ＲＳ  ＣＳ（インデックス）値そして／あるいはＯＣＣ（インデックス）値、そして／あるいは、既存（ＬＴＥ  ＲＥＬ−１４）ＡＰ上のＤＭ−ＲＳに使用されるＣＳ（インデックス）値に対するオフセット値そして／あるいはＯＣＣ（インデックス）値に対するオフセット値がシグナリングされ得る。
【０１４６】
当該フィールド（／ビット）は、既存（ＬＴＥ  ＲＥＬ−１４）ＰＳＣＣＨ上の（Ａ）「留保されたビット／フィールド（ＲＥＳＥＲＶＥＤ  ＢＩＴ（／ＦＩＥＬＤ））」、（Ｂ）（単一送信ブロックに関連した）再送信が行われないとき、「再送信インデックスフィールド」、「初期送信及び再送信の周波数資源割当フィールド（ＦＲＥＱＵＥＮＣＹ  ＲＥＳＯＵＲＣＥ  ＬＯＣＡＴＩＯＮ  ＯＦ  ＩＮＩＴＩＡＬ  ＴＲＡＮＳＭＩＳＳＩＯＮ  ＡＮＤ  ＲＥ−ＴＲＡＮＳＭＩＳＳＩＯＮ  ＦＩＥＬＤ）」でありうる。初期送信及び再送信の周波数資源割当フィールドは、初期送信に使用されるサブチャネル個数を同一に指すことができる複数個のコードポイントと定義されることもできる。
【０１４７】
図１２は、例示＃４−１による端末のＶ２Ｘ信号デコーディング方法を例示する。前記Ｖ２Ｘ信号は、第１のアンテナポート及び第２のアンテナポートを介して送信（例、ＴＸＤ）された信号と仮定する。
【０１４８】
図１２に示すように、端末は、ＰＳＣＣＨ（ＳＣＩ）のＣＲＣに基づいて、第１のアンテナポートに連関した第１のＤＭ−ＲＳの第１のＣＳインデックス及び／又は第１のＯＣＣインデックスを判断する（Ｓ２１０）。
【０１４９】
例えば、前記ＳＣＩは、１）優先権（ＰＲＩＯＲＩＴＹ）：３ビット、２）資源予約周期：４ビット、３）変調及びコーディング技法（ＭＣＳ）：５ビット、４）ＣＲＣ：１６ビット、５）再送信インデックス（ＲＥＴＸ＿ＩＮＤＥＸ）：１ビット、６）送信開始と再送信との間の時間ギャップ（ＴＧＡＰ＿ＩＮＩＲＥＴＸ）：４ビット、７）送信開始と再送信の周波数資源位置（ＦＲＡ＿ＩＮＲＥＴＸ）：（最大）８ビット、８）留保されたビット（ｒｅｓｅｒｖｅｄ  ｂｉｔ）：（最大）７ビットを含むことができる。
【０１５０】
このとき、端末は、第１のアンテナポートに連関した第１のＤＭ−ＲＳの第１のＣＳインデックス及び／又は第１のＯＣＣインデックスを前記ＣＲＣビットに基づいて決定／判断することができる。ここで、前記第１のアンテナポートは、既存の端末（ｌｅｇａｃｙ  ＵＥ）（例、１つのアンテナポートを用いて送信動作を行う端末）及び改善された端末（ａｄｖａｎｃｅｄ  ＵＥ）（例、複数個のアンテナポートを用いて送信動作（例、ＴＸＤ）を行う端末）に共通的に使用されるアンテナポートでありうる。前記端末は、改善された端末でありうる。
【０１５１】
端末は、前記ＳＣＩの留保されたビット（ｒｅｓｅｒｖｅｄ  ｂｉｔ）に基づいて、第２のアンテナポートに連関した第２のＤＭ−ＲＳの第２のＣＳインデックス値及び／又は第２のＯＣＣインデックス値を判断する（Ｓ２２０）。前記第２のアンテナポートは、前記改善された端末にのみ使用されるアンテナポートでありうる。
【０１５２】
端末は、前記第１のＣＳインデックス値及び／又は第１のＯＣＣインデックス値が適用された第１のＤＭ−ＲＳ及び前記第２のＣＳインデックス値及び／又は第２のＯＣＣインデックス値が適用された前記第２のＤＭ−ＲＳに基づいて、前記第１のアンテナポート及び前記第２のアンテナポートを介して送信された前記Ｖ２Ｘ信号をデコーディングする（Ｓ２３０）。前記Ｖ２Ｘ信号は、複数のシンボルを含むサブフレームにおいて、時間領域において（参照信号シンボルを除いた）連続する２個のシンボルペアリング単位で（ＴＸＤ関連）ブロックコーディング、プリコーディングサイクリングなどが適用された信号でありうる。前記サブフレームの１番目のシンボル及び最後のシンボルは、前記連続する２個のシンボルに含まれないことがある。
【０１５３】
図１３は、図１２において説明した方法のより具体的な適用例である。
【０１５４】
図１３に示すように、端末は、ＰＳＣＣＨ（ＳＣＩ）のＣＲＣに基づいて、第１のアンテナポートに連関した第１のＤＭ−ＲＳの第１のＣＳインデックス値及び／又は第１のＯＣＣインデックス値を判断する（Ｓ３１０）。
【０１５５】
端末は、ＳＣＩの留保されたビット（フィールド）を介して、ＣＳインデックスに対するオフセット値及び／又はＯＣＣインデックスに対するオフセット値を判断／取得する（Ｓ３２０）。例えば、前記ＣＳインデックスに対するオフセット値は、前記第１のＣＳインデックス値に追加されなければならないオフセット値でありうる。すなわち、前記ＣＳインデックスに対するオフセット値は、前記第２のＣＳインデックス値と前記第１のＣＳインデックス値との差分値で与えられることもできる。
【０１５６】
ここで、第２のアンテナポートに連関した第２のＤＭ−ＲＳの第２のＣＳインデックス値は、前記ＣＳインデックスに対するオフセット値を前記第１のＣＳインデックス値に適用して判断／決定されることができる。そして／または、第２のＯＣＣインデックス値は、前記ＯＣＣインデックスに対するオフセット値を前記第１のＯＣＣインデックス値に適用して判断／決定されることができる（Ｓ３３０）。
【０１５７】
（例示＃４−２）ＰＳＣＣＨ関連ＣＲＣビットのうち、予め設定（／シグナリング）されたビット（例えば、既存（ＬＴＥ  ＲＥＬ−１４）に使用されない１番目から７番目までのＣＲＣビットのうち一部のビット）を介して、既存（ＬＴＥ  ＲＥＬ−１４）と異なるＡＰと関連したＤＭ−ＲＳ  ＣＳ（インデックス）値そして／あるいはＯＣＣ（インデックス）値、そして／あるいは、既存（ＬＴＥ  ＲＥＬ−１４）ＡＰ上のＤＭ−ＲＳに使用されるＣＳ（インデックス）値に対するオフセット値そして／あるいはＯＣＣ（インデックス）値に対するオフセット値が決定（／シグナリング）されるようにすることができる。
【０１５８】
（例示＃４−３）既存の方式によって決定された、既存（ＬＴＥ  ＲＥＬ−１４）ＡＰ上のＤＭ−ＲＳ  ＣＳ（インデックス）値そして／あるいはＯＣＣ（インデックス）値に、予めネットワークから設定（／シグナリング）された、既存（ＬＴＥ  ＲＥＬ−１４）と異なるＡＰ別オフセット値を足した後、既存（ＬＴＥ  ＲＥＬ−１４）と異なるＡＰ関連ＤＭ−ＲＳ  ＣＳ（インデックス）値そして／あるいはＯＣＣ（インデックス）値が最終的に（各々）決定（そして／あるいは、予めネットワークから既存（ＬＴＥ  ＲＥＬ−１４）と異なるＡＰ別ＤＭ−ＲＳ  ＣＳ（インデックス）値そして／あるいはＯＣＣ（インデックス）値が（各々）設定（／シグナリング）されるようにすることもできる。
【０１５９】
上記説明した提案方式に対する一例も本発明の実現方法のうちの１つとして含まれることができるので、一種の提案方式等と見なされ得ることは明らかな事実である。また、上記説明した提案方式等は、独立的に実現されることができるが、一部提案方式等の組み合わせ（あるいは、併合）形態で実現されることもできる。
【０１６０】
本発明では、説明の都合上、３ＧＰＰ  ＬＴＥシステムに基づいて提案方式を説明したが、提案方式が適用されるシステムの範囲は、３ＧＰＰ  ＬＴＥシステム以外に、他のシステムへも拡張可能である。一例に、本発明の提案方式等は、Ｄ２Ｄ通信のためにも拡張適用可能である。ここで、Ｄ２Ｄ通信は、端末が他の端末と直接無線チャネルを用いて通信することを意味する。端末は、ユーザの端末を意味するが、基地局のようなネットワーク装備が端末間の通信方式によって信号を送受信する場合には、やはり一種の端末と見なされることができる。
【０１６１】
また、本発明の提案方式等は、モード３のＶ２Ｘ動作（そして／あるいは、モード４のＶ２Ｘ動作）にのみ限定的に適用されることもできる。
【０１６２】
また、本発明の提案方式等は、特定ＴＸＤ技法（例えば、ＳＴＢＣあるいはプリコーディング／ビーム循環）基盤のＶ２Ｘメッセージ送信時にのみ限定的に適用されることもできる。
【０１６３】
また、本発明の提案方式等は、予め設定（／シグナリング）された（特定）Ｖ２Ｘチャネル（／シグナル）送信（例えば、ＰＳＳＣＨ（そして／あるいは、（連動された）ＰＳＣＣＨそして／あるいはＰＳＢＣＨ））にのみ限定的に適用されることもできる。
【０１６４】
また、一例に、本発明の提案方式等は、ＰＳＳＣＨと（連動された）ＰＳＣＣＨが周波数領域上で隣接（ＡＤＪＡＣＥＮＴ）（あるいは、離間（ＮＯＮ−ＡＤＪＡＣＥＮＴ））して送信される場合、そして／あるいは、予め設定（／シグナリング）されたＭＣＳ（そして／あるいは、コーディングレートそして／あるいはＲＢ）（値（／範囲）基盤の送信が行われる場合にのみ限定的に適用されることもできる。
【０１６５】
図１４は、本発明の実施形態が実現される装置を示したブロック図である。
【０１６６】
図１４に示すように、装置１０００は、プロセッサ１１００、メモリ１２００、及びトランシーバ（ｔｒａｎｓｃｅｉｖｅｒ、１３００）を備える。プロセッサ１１００は、提案された機能、過程、及び／又は方法を実現する。装置１０００は、端末または基地局でありうる。トランシーバ１３００は、プロセッサ１１００と連結されて無線信号を送信及び受信する。メモリ１２００は、プロセッサ１１００の動作に必要な情報を格納することができ、送受信信号も格納することができる。
【０１６７】
図１５は、プロセッサ１１００を構成する一例を示す。
【０１６８】
図１５に示すように、プロセッサ１１００は、受信信号でＣＰ（ｃｙｃｌｉｃ  ｐｒｅｆｉｘ）を除去するＣＰ除去（ＣＰ  ｒｅｍｏｖｅ）モジュール、位相を回転させる位相回転（Ｐｈａｓｅ  Ｒｏｔａｔｉｏｎ）モジュール、ＦＦＴ（Ｆａｓｔ  Ｆｏｕｒｉｅｒ  Ｔｒａｎｓｆｏｒｍ）モジュール、チャネル推定（ｃｈａｎｎｅｌ  ｅｓｔｉｍａｔｉｏｎ：ＣＥ）モジュール、ＳＩＭＯ（ｓｉｎｇｌｅ  ｉｎｐｕｔ  ｍｕｌｔｉｐｌｅ  ｏｕｔｐｕｔ）デコーダ、ＩＤＦＴ（ｉｎｖｅｒｓｅ  ｄｉｓｃｒｅｔｅ  Ｆｏｕｒｉｅｒ  ｔｒａｎｓｆｏｒｍ）モジュール、ＬＬＲ（ｌｏｇ−ｌｉｋｅｌｉｈｏｏｄ  ｒａｔｉｏ）計算モジュール、デ−スクランブリング（ｄｅ−ｓｃｒａｍｂｌｉｎｇ）モジュール、デコーダチェーン（ｄｅｃｏｄｅｒ  ｃｈａｉｎ）などを含むことができる。
【０１６９】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、及び／又はデータ処理装置を備えることができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納装置を備えることができる。ＲＦ部は、無線信号を処理するためのベースバンド回路を備えることができる。実施形態がソフトウェアで実現されるとき、上述した技法は、上述した機能を果たすモジュール（過程、機能等）で実現されることができる。モジュールは、メモリに格納され、プロセッサにより実行されることができる。メモリは、プロセッサの内部または外部にありうるし、よく知られた様々な手段でプロセッサと連結されることができる。
【図１】
2020515181.tif 000009
【図２】
2020515181.tif 000010
【図３】
2020515181.tif 000011
【図４】
2020515181.tif 000012
【図５】
2020515181.tif 000013
【図６】
2020515181.tif 000014
【図７】
2020515181.tif 000015
【図８】
2020515181.tif 000016
【図９】
2020515181.tif 000017
【図１０】
2020515181.tif 000018
【図１１】
2020515181.tif 000019
【図１２】
2020515181.tif 000020
【図１３】
2020515181.tif 000021
【図１４】
2020515181.tif 000022
【図１５】
2020515181.tif 000023
【国際調査報告】
2020515181.tif 000024
2020515181.tif 000025
2020515181.tif 000026
2020515181.tif 000027